(57)【特許請求の範囲】
【請求項１】
自動改札機を監視する監視盤及びその自動改札機で使用される情報記録媒体に記録されている内容をチェックするとともに、必要に応じてその情報記録媒体に記録されている内容を書替えを行うカード処理機とからなる監視装置であって、
前記監視盤及びカード処理機の表示画面や入力器等からなる入出力機器又はフレキシブルディスクドライバやプリンタ等の周辺機器は、兼用されていることを特徴とする監視装置。
【発明の詳細な説明】
【０００１】
【発明の属する技術分野】
本発明は、自動改札機等の駅務機器を監視する監視装置に係り、特に、その駅務機器で使用される情報記録媒体の記録内容のチェック、あるいはその記録内容の書替え等の所定の処理を行う情報記録媒体処理機と接続できるようにしたものに関する。
【０００２】
【従来の技術】
近年、駅事務の省力化及び利用者の利便性向上のために、自動改札機や自動券売機等の駅務機器が設置されるようになってきている。このような駅務機器は、利用者によって直接利用されるため、例えば、トラブル発生時に速やかに対処できるように、有人改札口やオープンカウンタ等の事務室内に、駅務機器を監視するための監視装置が設置されている。
【０００３】
この従来の監視装置は、表示画面やキーボード等からなる入出力機器、及びフレキシブルディスク（フロッピーディスク）ドライバやジャーナルプリンタ等からなる周辺機器を有していて、例えば、ジャムの発生した自動改札機を特定して表示させたり、改札を拒否したときの状態などを表示して、係員に報知できるように構成されている。したがって、係員は、トラブル発生時に監視装置の表示に基づいて適切な措置を速やかにとることができる。
【０００４】
上述の駅務機器は、磁気データにより所定の情報の記録された乗車券や定期券、あるいはストアードフェアカード（ＳＦカード）等のカード類（以下、これらの情報記録媒体を「カード」という）が用いられるが、例えば、トラブル発生時には、カードに記録されている内容のチェックが必要になったり、あるいはカードの情報を書替えることが必要になったりする場合がある。
【０００５】
上述のような要望に応えるために、駅事務室には、カードチェッカーやカード処理機を設置する必要に迫られている。
【０００６】
【発明が解決しようとする課題】
しかしながら、上述の駅務機器を監視する監視装置を備えた事務室は、利用者の利便を考慮して改札口を可能な限り広くとるため、必然的に事務室が狭くなり、したがって、後にカードチェックカーやカード処理機を増設しずらいという問題点を有している。
【０００７】
そこで、本発明は、上記問題点を解決するためになされたものであって、その目的は、カードチェッカーやカード処理機を簡単に設置できるようにした監視装置を提供することにある。
【０００８】
【課題を解決するための手段】
本発明に係る監視装置は、上記目的を達成するために、自動改札機を監視する監視盤及びその自動改札機で使用される情報記録媒体に記録されている内容をチェックするとともに、必要に応じてその情報記録媒体に記録されている内容を書替えを行うカード処理機とからなる監視装置であって、前記監視盤及びカード処理機の表示画面や入力器等からなる入出力機器又はフレキシブルディスクドライバやプリンタ等の周辺機器は、兼用されていることを特徴としている。
【０００９】
【発明の実施の形態】
以下、本発明の実施の形態を図面に基づいて説明する。図１は、駅務機器を自動改札機とし、監視装置をその自動改札機を監視する自動改札機監視盤（以下、「監視盤」という）としたときの概略構成図である。
【００１０】
図中、Ｇ１  ，Ｇ２  …は、駅の改札口イに設置された自動改札機群であり、ａはその改札口に隣接して設けられた駅事務室（図面では事務室）ロに設置された監視盤である。
【００１１】
この監視盤ａは、周知の監視盤と同様に、通信回線Ｌ１  を介して各自動改札機Ｇ１  ，Ｇ２  …と接続されているとともに、表示画面ａ１  及びキーボードの入力器ａ２  からなる入出力機器を備えている。なお、入力器ａ２  は表示画面ａ１  をタッチパネルとして省略することもできる。
【００１２】
図１中、１は、カードチェッカー機能を備えたカード処理機であって、監視盤ａの隣に設置されていて、監視盤ａの周辺機器としての機能も有している。
【００１３】
このカード処理機１は、スイッチ２をＯＮすることにより電源が投入され、その内部には、カードＣに記録されているデータの読取り及びそのカードＣへのデータの書込みを行うカード処理ユニット３と、監視盤ａの監視処理用、カード処理用又はカードチェック用のプログラムデータ又は読取ったデータ等を記憶するためのフロッピーディスクＦの駆動を行うディスクドライバ４と、読取ったデータ等を印字するジャーナルプリンタからなる印字ユニット５とが設けられている。
【００１４】
さて、このカード処理機１の入出力機器は、従来の単独のカードチェッカーやカード処理機と異なり、監視盤ａの入出力機器と兼用されている。このため、カード処理機１と監視盤ａとは、通信回線Ｌ２  を介して接続されている。
【００１５】
図２は、監視盤ａ及びカード処理機１の電気的構成を示すブロック図であって、監視盤ａは、ＲＯＭ１０に格納されているシステムプログラム及びＲＡＭ１１に格納されているワーキングデータを用いて演算処理する中央処理部（ＣＰＵ）１２を有している。
【００１６】
このＣＰＵ１２は、Ｉ／Ｏユニット１３を介して上述した表示画面ａ１  及び入力器ａ２  を接続しているとともに、通信制御部１４を介して各自動改札機Ｇ１  ，Ｇ２  …と接続されている。さらに、このＣＰＵ１２は、通信制御部１５を介してカード処理機１側と接続されている。
【００１７】
カード処理機１は、ＲＯＭ２０に格納されているシステムプログラム及びＲＡＭ２１に格納されているワーキングデータを用いて演算処理する中央処理部（ＣＰＵ）２２を有している。
【００１８】
このＣＰＵ２２は、Ｉ／Ｏユニット２３を介して、上述したカード処理ユニット３、ディスクドライバ４及び印字ユニット５を接続しているとともに、通信制御部２４を介して監視盤ａ側と接続されている。
【００１９】
上記構成からなる監視盤ａを用いてカードＣをチェックする場合は、先ず、スイッチ２をＯＮにし、さらに、ディスクドライバ４にカードチェック用のフロッピーディスクＦをセットするとともに、入力器ａ２  から監視盤ａをカードチェックモードに設定する所定の信号が入力される。次いで、カード処理ユニット３の挿入口３ａにチェックをうけるカードＣが挿入されると、表示画面ａ１  にそのカードＣに記録されているデータ内容が表示される。そして、必要に応じて入力器ａ２  からプリントアウトの信号が入力されると、印字ユニット５を介してその内容がプリントアウトされる。また、同様にして、カードＣのデータの書替え等のカード処理が行われる。
【００２０】
以上のように、カード処理機１を自動改札機Ｇ１  ，Ｇ２  …を監視する監視盤ａと兼用することができるので、駅事務室ロのように狭い場所にもカード処理機１を設置することができる。
【００２１】
なお、上述の例では、監視盤ａは、自動改札機Ｇ１  ，Ｇ２  …を監視するようにしたが、自動券売機等の他の駅務機器を監視するものであってもよい。また、本発明では、装置全体の主体を監視盤ａとしたので、発明の名称を「監視装置」としているが、その主体をカード処理機１とした場合は、「カード処理機」となる。したがって、本発明においては、「監視装置」と「カード処理機」とは同義である。
【００２２】
【発明の効果】
本発明に係る監視装置は、自動改札機を監視する監視盤及びその自動改札機で使用される情報記録媒体に記録されている内容をチェックするとともに、必要に応じてその情報記録媒体に記録されている内容を書替えを行うカード処理機とからなる監視装置であって、前記監視盤及びカード処理機の表示画面や入力器等からなる入出力機器又はフレキシブルディスクドライバやプリンタ等の周辺機器は、兼用されているので、駅事務室のように狭い場所にもカード処理機を設置することができる。
【図面の簡単な説明】
【図１】駅務機器を自動改札機とし、監視装置をその自動改札機を監視する自動改札機監視盤としたときの概略構成図である。
【図２】電気的構成を示すブロック図である。
【符号の説明】
ａ      監視盤
ａ１      表示画面
ａ２      入力器
１      情報記録媒体処理機（カード処理機）
２      スイッチ
３      カード処理ユニット
４      ディスクドライバ
５      印字ユニット
イ      改札口
ロ      駅事務室
Ｇ１  〜Ｇｎ      自動改札機
Ｃ      情報記録媒体（カード）
【図１】
0003592434.tif 000002
【図２】
0003592434.tif 000003